(57)【要約】      （修正有）【課題】  ＤＶＤ又はビデオテープ等の記録媒体を再生する画像再生部と一体のプロジェクタで、所定の操作をしたときに、画像再生部の再生を停止、一時停止、再生または記録を開始し、プロジェクタの投射部から投写する投写画面を他の画面に切り換えるプロジェクタを提供する。【解決手段】  画像再生中に、ブレイクスイッチが押下されたか否かを判断する。ブレイクスイッチが押下された場合は、次に進む。また、押下されない場合は、元の状態を継続する。画像再生部での記録媒体Ｄの再生を一時停止と画像は１つの場面で止まり、音の再生も止まる。ＣＰＵは、ブレイクスイッチが押下された信号に基づき計時部対し、一時停止時間を計時させる。計時された計時データはＲＡＭに保存される。さらにＲＯＭまたはＥＥＰＲＯＭの案内画像の画像データを読み出し、一時停止している画面を前記案内画像の画像データに切り換えて表示する。【選択図】      図９
2005094475.tif 000002
【特許請求の範囲】
【請求項１】
記録媒体に記録された画像を再生する画像再生部と、
前記画像再生部で再生された画像を投写する投射部と、
前記画像再生部の画像再生を停止または開始させる操作部と、
前記画像再生が停止中である旨を示すための案内画像の画像データを記憶するデータ記憶部と、
前記操作部が操作されることで与えられた停止信号に基づき、前記画像再生部の画像再生を停止させるとともに、前記データ記憶部から読み出した前記画像データに基づき前記投射部から停止中である旨を示す案内画像を投写させる制御部と
を備えたことを特徴とするプロジェクタ。
【請求項２】
請求項１に記載のプロジェクタにおいて、
前記制御部は、前記案内画像を予め設定された照明を兼ねる所定の明度で投写させることを特徴とするプロジェクタ。
【請求項３】
請求項１に記載のプロジェクタにおいて、
前記案内画像は停止中である旨を示す文字または絵を含むとともに、当該文字または絵の状態を変化させるための複数の動画データが前記データ記憶部には記憶され、
前記制御部は、前記データ記憶部から読み出した前記動画データに基づき前記投射部から前記文字または絵の状態を変化させるように前記案内画像を投写させることを特徴とするプロジェクタ。
【請求項４】
請求項１〜３のいずれか一項に記載のプロジェクタにおいて、
スピーカを備え、
前記制御部は、前記投射部から前記案内画像を投写させているときに前記スピーカから所定の音を発することを特徴とするプロジェクタ。
【請求項５】
請求項１〜４のいずれか一項に記載のプロジェクタにおいて、
前記案内画像は、前記画像再生部の再生を開始する手順を知らせる文字または絵を含むことを特徴とするプロジェクタ。
【請求項６】
請求項１〜５のいずれか一項に記載のプロジェクタにおいて、
前記操作部は発光部を備えており、
前記制御部は、前記停止信号が与えられると、前記操作部の発光部を点灯または点滅させることを特徴とするプロジェクタ装置。
【請求項７】
請求項１〜６のいずれか一項に記載のプロジェクタにおいて、
前記投射部の投写レンズ部以外から光を照射する照明部を備え、
前記制御部は、前記停止信号が与えられると、前記照明部から光を照射させることを特徴とするプロジェクタ。
【請求項８】
請求項１〜７のいずれか一項に記載のプロジェクタにおいて、
前記制御部は、前記操作部が操作されたことによる再生開始信号が与えられると、前記画像再生部の画像再生を開始させ、前記投射部から投写させていた前記案内画像を前記画像再生部の再生画像に切り換えることを特徴とするプロジェクタ。
【請求項９】
請求項８に記載のプロジェクタにおいて、
前記制御部は、前記再生開始信号が与えられたときは、前記画像再生部に対し、停止時の画像より少なくとも前に戻った画像から画像再生を開始させることを特徴とするプロジェクタ。
【発明の詳細な説明】
【技術分野】
【０００１】
本発明は、ＤＶＤ（Digital Versatile Disc）等の記録媒体を再生する画像再生部と再生された画像を投写する投射部とが一体となったプロジェクタの投写画像の技術に関するものである。
【背景技術】
【０００２】
スクリーン等に画像を投写するプロジェクタは、ホームシアタなどに利用できるため、近年、急速に普及してきている。
【０００３】
ＤＶＤプレーヤとプロジェクタとを別々に配置し配線等で接続されて、ＤＶＤプレーヤで再生された画像データと音声データが配線を通じてプロジェクタに送られ、プロジェクタによって画像がスクリーン等に投影されたり音声がスピーカから出力されたりしてホームシアタなどに利用されていることが知られている（例えば特許文献１）。
【０００４】
ＶＴＲ（Video Tape Recorder）でのビデオテープの再生を一時停止した場合に、画質の良い静止画を表示することができるようにするものが知られている（例えば特許文献２）。
【特許文献１】特開２００２−２９０８７７号公報（第５〜７頁、第２〜４図）
【特許文献２】特開平１１−３３１７５４（第６頁、第１図）
【発明の開示】
【発明が解決しようとする課題】
【０００５】
ところで、近年、ＤＶＤ等に記録された映画等の画像を再生して鑑賞する時間としては、長いものは６時間に達するものもある。このために、視聴者が映画等を鑑賞中に、トイレへ行くまたはコーヒを飲む等の休憩をとることがある。また、部屋の照明を消して鑑賞することもある。
ホームシアタで映画等を鑑賞している際に、例えば鑑賞途中でトイレ等休憩する場合には、ＤＶＤ又はビデオテープ等の記録媒体を再生する画像再生装置の一時停止ボタンを押して、部屋の照明をつけなければならなかった。また、少しの間、休憩をしたい場合には、従来であれば、画像再生装置を一時停止にすると、一時停止した画面が引き続いて映っており、落ち着いた気分で休憩を取ることができなかった。また、画像再生装置を一時停止した場合には、音声も停止してしまい気分転換のための休憩には良い環境とはいえない状況であった。
【０００６】
また、休憩を終えて画像再生装置を再生させようとするときに、部屋の照明がついていない場合は、再生ボタンが見にくいために他のボタンを誤って押してしまうこともあった。誤って押したボタンが停止ボタンであった場合には最初から再生されるため、一時停止した映像を早送り等の操作をして探しだし、続きを見なければならなかった。
【０００７】
本発明は、上記問題を鑑みてなされたものであり、その目的は、ＤＶＤ又はビデオテープ等の記録媒体を再生する画像再生部と一体となったプロジェクタで、所定の操作をしたときに、画像再生部の再生を停止し、プロジェクタの投射部から投写する投写画面を他の画面に切り換えるプロジェクタを提供することにある。
【課題を解決するための手段】
【０００８】
上記課題を解決するために、本発明は、記録媒体に記録された画像を再生する画像再生部と、前記画像再生部で再生された画像を投写する投射部と、前記画像再生部の画像再生を停止または開始させる操作部と、前記画像再生が停止中である旨を示すための案内画像の画像データを記憶するデータ記憶部と、前記操作部が操作されることで与えられた停止信号に基づき、前記画像再生部の画像再生を停止させるとともに、前記データ記憶部から読み出した前記画像データに基づき前記投射部から停止中である旨を示す案内画像を投写させる制御部とを備えたことを要旨とする。
これによれば、画像再生部が記録媒体に記録された画像を再生し、投射部から画像再生部で再生された画像を投写している際に、操作部が操作されることで前記画像再生部の画像再生を停止させるとともに、停止中である旨を示す案内画像を投写させることが可能となり、落ち着いて休憩ができるようになる。
【０００９】
また、本発明のプロジェクタでは、前記制御部は、前記案内画像を予め設定された照明を兼ねる所定の明度で投写させることを要旨とする。
これによれば、前記案内画像を予め設定された照明を兼ねる所定の明度で投写させるため、暗い部屋で映像を鑑賞中に、前記操作部を操作することにより、前記画像再生部を停止すると前記案内画像の明るさで部屋の照明を点灯させる必要が無くなる。
【００１０】
また、本発明のプロジェクタでは、前記案内画像は停止中である旨を示す文字または絵を含むとともに、当該文字または絵の状態を変化させるための複数の動画データが前記データ記憶部には記憶され、前記制御部は、前記データ記憶部から読み出した前記動画データに基づき前記投射部から前記文字または絵の状態を変化させるように前記案内画像を投写させることを要旨とする。
これによれば、前記案内画像は停止中である旨を示す文字または絵を含むため、前記画像再生部が再生を停止していることが映像を鑑賞している人に報知することができる。また、前記案内画像は動画データに基づき前記文字または絵の状態を変化させることにより、前記画像再生部を含むプロジェクタが正常に作動していることを報知することができる。さらに、動画データを含む前記案内画像を前記データ記憶部に複数記憶することにより、映像視聴者が好みの前記案内画像を選択することができる。
【００１１】
また、本発明のプロジェクタでは、スピーカを備え、前記制御部は、前記投射部から前記案内画像を投写させているときに前記スピーカから所定の音を発することを要旨とする。
これによれば、前記案内画像を表示しているときにスピーカから所定の音を出すことにより、更に落ち着いた休憩ができる。
【００１２】
また、本発明のプロジェクタでは、前記案内画像は、前記画像再生部の再生を開始する手順を知らせる文字または絵を含むことを要旨とする。
これによれば、前記案内画像は、前記画像再生部の再生を開始する手順を知らせる文字または絵を含むことにより、画像再生を開始する手順を文字または絵で報知することができ、確実に画像再生を開始することができる。
【００１３】
また、本発明のプロジェクタでは、前記操作部は発光部を備えており、
前記制御部は、前記停止信号が与えられると、前記操作部の発光部を点灯または点滅させることを要旨とする。
これによれば、前記制御部は、前記停止信号が与えられると、前記操作部の発光部を点灯または点滅させることにより、映像を鑑賞している部屋が暗い状態の場合でも、前記画像再生部の再生を開始する前記操作部の操作が簡単にできる。
【００１４】
また、本発明のプロジェクタでは、前記投射部の投写レンズ部以外から光を照射する照明部を備え、前記制御部は、前記停止信号が与えられると、前記照明部から光を照射させることを要旨とする。
これによれば、前記操作部を操作して前記画像再生部を停止すると、前記投射部の投写レンズ部以外に備えた前記照明部から光を照射させるため、暗い部屋で映像を鑑賞している場合には、部屋の照明を点灯させることなく、前記照明部の照明で休憩ができる。
【００１５】
また、本発明のプロジェクタでは、前記制御部は、前記操作部が操作されたことによる再生開始信号が与えられると、前記画像再生部の画像再生を開始させ、前記投射部から投写させていた前記案内画像を前記画像再生部の再生画像に切り換えることを要旨とする。
これによれば、前記操作部を操作し前記画像再生部の画像再生を開始させると、それまで前記投射部から投写させていた前記案内画像を前記画像再生部の再生画像に切り換えるため、簡単に映像の続きを鑑賞することができる。
【００１６】
また、本発明のプロジェクタでは、前記制御部は、前記再生開始信号が与えられたときは、前記画像再生部に対し、停止時の画像より少なくとも前に戻った画像から画像再生を開始させることを要旨とする。
これによれば、停止時の画像より少なくとも前に戻った画像から画像再生を開始させることにより、休憩までの映画等のストーリを直ぐに思い出すことができ、以降の映画等を楽しむことができる。
【発明を実施するための最良の形態】
【００１７】
以下、本発明を、ＤＶＤプレーヤ、ビデオテープレコーダ、ビデオカメラ及びＤＶＤ内蔵カメラ等とプロジェクタに適用した場合を例に取り、図面を参照しつつ説明する。なお、以下に示す実施形態は、特許請求の範囲に記載された発明の内容を何ら限定するものではない。また、以下の実施形態に示す構成のすべてが、特許請求の範囲に記載された発明の解決手段として必須であるとは限らない。
【実施例１】
【００１８】
以下、本発明を具体化した第１の実施形態を、図１〜図９に基づいて説明する。
【００１９】
図１は、第１の実施形態のプロジェクタの斜視図である。図１において、プロジェクタ１は、画像再生部本体５０の上面に、投射部本体２が傾動可能に載置されている。画像再生部本体５０は凹状球面の案内面５０ａを有し、投射部本体２の下部に設けてある凸状球面の案内面２ａと傾動可能になっている。画像再生部本体５０には、ＤＶＤ等の画像または音を記録してある記録媒体Ｄを挿脱するための挿入口５１がある。また、投射部本体２には、投写レンズ部６７とスピーカ１１６と操作部５及びランプカバー１１等を備えている。投写レンズ部６７は、画像をスクリーン等（図示せず）に投写する際に、画像の拡大または縮小及び焦点合わせをする機能を有する。スピーカ１１６は、画像再生部本体５０に挿入された記録媒体Ｄの音が再生され、音楽、音声または人工音として視聴者に発するものである。操作部５は、投射部及び画像再生部への各種操作をさせる複数のスイッチから成っている。
【００２０】
図２は、投射部本体に配設された操作部の説明図である。図２に示すように、投射部本体２に配設された操作部５には、プロジェクタ１に電源投入するための電源スイッチ６と、投写レンズ部６７からスクリーン等に投写された画面の形状歪を補正するキーストーンスイッチ７（例えば、本実施形態では７ａ，７ｂ，７ｃ，７ｄの４個のスイッチから成る）と、再生スイッチ８と、休憩のためのブレイクスイッチ９及びスピーカ１１６からの音量を調節する音量スイッチ１０とを備えている。再生スイッチ８は、画像再生部の再生を開始する再生スイッチ８ａと、再生を停止する停止スイッチ８ｂと、記録媒体Ｄの再生トラックを早送りする早送りスイッチ８ｃと、早戻りする早戻りスイッチ８ｄ及び記録媒体Ｄに画像または音を記録する記録スイッチ８ｅとを備えている。また、ブレイクスイッチ９の近傍には、ブレイクスイッチ９が押下された場合に点灯または点滅する発光部９ａが配設されている。投射部本体２の上面には、画像再生を一時停止した場合に点灯する天井照明部５５用のランプカバー１１が設けられている。また、画像再生部本体５０の下面にも同様に間接照明部６８（図４参照）が設けられている。
【００２１】
図３（ａ）は、部屋の中でプロジェクタを使ってスクリーンに画像を投写している様子を説明する平面図である。図３（ａ）では、プロジェクタ１を部屋Ｒの中に設置し、図１に示すように、記録媒体Ｄを画像再生部本体５０の挿入口５１に挿入し、操作部５の再生スイッチ８を操作してスクリーンＳに映画等を視聴者（図示せず）が鑑賞しているところを示す。プロジェクタ１の画像再生部本体５０に対し投射部本体２を傾動して、投写レンズ部６７から再生された画像がスクリーンＳに投写されている。このように、プロジェクタ１は画像再生部本体５０に対して投射部本体２の方向を任意に設定できるようになっている。従って、スクリーンＳの位置を部屋Ｒの別の位置に移動した場合は、プロジェクタ１全体を移動することなく、画像再生部本体５０に対し投射部本体２を傾動するだけで容易に投写レンズ部６７から投写される投写光の方向を変えることができるようになっている。
【００２２】
図３（ｂ）は、案内画像の説明図である。操作部５のブレイクスイッチ９が押下されると、画像の再生が一時停止され、投写される画像は予めデータ記憶部１１１（図８参照）に記憶された画像（以下、案内画像という）７０に切り替わる。案内画像７０には、投写背景Ｈに休憩を示す絵として、例えば「コーヒーカップ」を示す絵８２が投写背景Ｈとともに１つの画像として投写される。投写背景Ｈは、部屋の照明を兼ねる予め設定された所定の明度、彩度及び色相になっている。前記明度または彩度は、投射部本体２が有する最大の明度及び彩度である必要は必ずしもなくそれ以下であっても、部屋の照明を兼ねる明るさ以上であればよい。案内画像７０の周辺には、投写背景Ｈと比較して明度または彩度を徐々に変化させた部分を配しているが投写背景Ｈだけで構成してもよい。
【００２３】
案内画像７０には、現在が休憩中を示す「ただいま、休憩中です」という文字８３が投写されている。また、休憩を終えて映画の続きを見ようとする場合に、画像を再生する手順を示す文字（本実施形態では、「ブレイクスイッチを押してください。映像の再生を開始します。」を示す。）８４またはブレイクスイッチ９を押すことを意味する絵８５が投写されている。また、「コーヒーカップ」を示す絵８２の湯気８２ａを示す部分が動画で構成されており、あたかもコーヒーカップから湯気が立っているように湯気８２ａの部分を変化させてもよい。また、絵８２は投写背景Ｈに動画の画像をデータとして一体（いわゆる貼付けをしたデータ）にし、投写背景Ｈ上で前記動画が動作するようにしてもよい。このように、案内画像７０には静止画データのみで構成したものと、静止画データと動画データを組み合わせて構成したものと動画データだけで構成したものがあり、これらの案内画像７０のデータは、データファイルとしてＲＯＭ１０１またはＥＥＰＲＯＭ１０２のデータ記憶部１１１（図８参照）に記憶され、操作部５のブレイクスイッチ９が押下されると、ＣＰＵ１００（図８参照）は、画像の再生を一時停止し前記データ記憶部１１１より案内画像７０を読み出して再生画像を案内画像７０へと投写する画像を切り換える。
【００２４】
ここで、動画データとは、プロジェクタ１のＲＯＭ１０１またはＥＥＰＲＯＭ１０２に予め記憶されている基本ソフトウェア（以降、ＯＳ（Operating System）という）と各種アプリケーションプログラムに基づき、複数の画像データを連続して表示することにより、表示している状態を変化させることができるデータである。従って、ビデオレコーダ、ＤＶＤまたはグラフィックデザイン等によって作られた画像データを、案内画像７０の全部または一部に使用できるようになっている。また文字８３及び文字８４の状態が回転、移動、点滅等表示する状態が変化をしてもよい。また、それぞれの組み合わせで表示してもよい。また、図２に示す操作部５のブレイクスイッチ９を押下すると、スイッチ近傍に配した発光部９ａが点灯または点滅し、休憩を終えて映画等の続きを見ようとする場合に、ブレイクスイッチ９を押すことによって画像を再生することができることを視聴者に報知している。
【００２５】
図４は、天井照明部と間接照明部の側面図である。図４では、操作部５のブレイクスイッチ９が押下された場合に、ＣＰＵ１００（図８参照）は、画像再生を一時停止させ、投射部本体２に配設された天井照明部５５の天井照明ランプ１２または画像再生部本体５０に配設された間接照明部６８の間接照明ランプ１３の少なくとも一方を点灯させ、映画等を見ている部屋の照明となる。天井照明部５５のランプカバー１１は、内側がスリガラス状になっており、天井照明ランプ１２が点灯しない場合は光が散乱してプロジェクタ１の中が見えないようになっている。また、画像再生部本体５０の下部に足１５を複数設けて載置台１４との間に隙間を設け、間接照明部６８の間接照明ランプ１３から出た点灯光は、ランプカバー６０を透過し載置台１４に反射して部屋を間接的に照明するようになっており、いわゆる間接照明となっている。
【００２６】
図５は、報知画像の説明図である。ブレイクスイッチ９が押下され画像再生部が画像の再生を一時停止している際に、再びブレイクスイッチ９が押下された場合は、それまで表示していた案内画像７０が、文字または絵によって画像再生が開始されることを示す報知画像８６に切り替わる。文字８７として本実施形態では、「映像の再生を開始します。ごゆっくりお楽しみください。」のような再生を開始する意味の文字を示し、視聴者に再生開始を報知する。また、絵で報知してもよい。この場合に、投写背景Ｈ部は、段階的に明度または彩度を下げ所定の暗さに達すると、画像再生部２０（図８に示す）の再生画面に切り替わってもよい。また、報知画像８６を表示せずに直接再生画面に切り替わってもよい。
【００２７】
図６は、プロジェクタの断面図である。画像再生部本体５０の上面に投射部本体２が傾動可能に設けられている。画像再生部本体５０は凹状球面の案内面５０ａと、投射部本体２の下部に設けてある凸状球面の案内面２ａとが係合している。つまり、投射部本体２は画像再生部本体５０に対して、あらゆる方向への移動が可能であり、移動した所での回転をすることができ、しかも傾けることができるようになっている。
【００２８】
プロジェクタ１の画像再生部本体５０に対して投射部本体２を傾動させるには、傾動させたい方向に投射部本体２を押すまたは引くことによって行われる。画像再生部本体５０の凹状球面の案内面５０ａに対し、投射部本体２の凸状球面の案内面２ａが滑って投射部本体２の穴部２ｂが画像再生部本体５０の壁部５０ｂに接触している状態である。この場合に、回転コネクタ部６１は画像再生部本体５０の中心穴部５０ｃと接触しないようにそれぞれ配設されている。
【００２９】
投射部本体２及び画像再生部本体５０の筐体の材質は、それぞれ軽量で熱伝導性が良好な、アルミニウム、マグネシウム、チタン等の金属、これらの合金、又はカーボンフィラー入りのポリカーボネート、ポリフェニレンサルファイド、液晶樹脂等の樹脂で形成されている。凹状球面の案内面５０ａと凸状球面の案内面２ａの面には、摩擦係数を減ずるシリコン系樹脂皮膜塗布処理等の処理を施し、投射部本体２と画像再生部本体５０との傾動負荷を減じている。複数の足１５の材質は、ゴム、シリコン系ゴム又はシリコン系プラスチックで形成され、載置台（図示せず）と画像再生部本体５０とが滑りにくくなっている。
【００３０】
このように、投射部本体２は画像再生部本体５０に対し、傾動するようなっているため、投写レンズ部６７を介してカラー画像を拡大投写するプロジェクタ１として、所望の方向で所望の角度でスクリーン（図示せず）等に画像を投写することができる。
【００３１】
画像再生部本体５０は、少なくとも、記録媒体Ｄを挿入し記録されている画像または音を読み取る読取部５２、プロジェクタ１を制御する電気回路部５３、画像再生部本体５０と投射部本体２とを電気的に接続するケーブル５４、間接照明部６８及び複数の足１５等を備えている。
【００３２】
読取部５２は、ディスクトレイ５６を画像再生部本体５０より外部に突出させ、ディスクトレイ５６の上に記録媒体Ｄを載せて、ディスクローディング機構（図示せず）を作動させスピンドルモータ５７に記録媒体Ｄをセットする。記録媒体Ｄに記録された画像データまたは音データはレーザピックアップ５８によって読み取られる。読み取られた画像データまたは音データは、電気回路部５３及びケーブル５４を通じて、投射部本体２に送られる。
【００３３】
間接照明部６８は、間接照明ランプ１３が配設され、前記間接照明ランプ１３が点灯された場合、間接照明ランプ１３からの光は反射板５９によって、画像再生部本体５０の下方に設けたランプカバー６０を透過してプロジェクタ１の外部へ出るようになっている。この間接照明ランプ１３を点灯したときの光は、プロジェクタ１の最下部に設けられた複数の足１５によってつくられた載置台（図示せず）との隙間からプロジェクタ１が設置された部屋の中に出て、部屋の照明をするようになっている。
【００３４】
投射部本体２は、少なくとも、回転コネクタ部６１、光源部６２から投写レンズ部６７の光学系、電気回路部５３、天井照明部５５及び操作部５等を備えている。
【００３５】
画像再生部本体５０から送られた画像データまたは音データを、ケーブル５４を通じて投射部本体２に送る。前述したように、投射部本体２は画像再生部本体５０に対して傾動可能なため電気的にもこれに対応するようになっている。傾動に伴う投射部本体２と画像再生部本体５０との上下方向の変位は、ケーブル５４の可撓性により対応している。また、傾動に伴う投射部本体２と画像再生部本体５０との回転方向の変位は、回転コネクタ部６１が対応する。
【００３６】
回転コネクタ部６１には、ケーブル５４に配設された複数の電極と、それぞれの前記電極に対応した複数の接続ピン７８が電気的に接合している。接続ピン７８は、回転体７１の周囲に配設されたフレキシブル基板７２の複数の電極と電気的に接合している。前記フレキシブル基板７２の複数の電極それぞれに対応して、ばねピン７３が電気的に接合している。ばねピン７３は、回転体７１に固着されている外筒部と前記外筒部の中を可動できる可動ピンと前記外筒部と前記可動ピンとを押圧するコイルばね又は板ばねから成る。前記可動ピンは、前記コイルばね又は板ばねを通じて前記外筒部と電気的に接続している。前記可動ピンは、固定体７４に配設された固定電極７５に、前記コイルばね又は板ばねのばね力により押圧されて電気的に接続している。尚、複数の固定電極７５は固定体７４の外周をそれぞれ単独に電極を成しているため、ばねピン７３は、対応する固定電極７５の円周上のいずれかで電気的に接続されている。
【００３７】
複数の固定電極７５は、外周を絶縁処理された接続線７６とそれぞれ電気的に接合され、電気回路部５３に接合されている。
これらの構成により、投射部本体２と画像再生部本体５０とが傾動可能になるようになっている。
【００３８】
光源部６２から投写レンズ部６７の光学系は、光源部６２の光源ランプ６３から射出された光束を、ダイクロイックミラー６４等を用いた色分離光学系によって三原色の赤、緑、青の色光に分離する。この分離された色光は、Ｒ（赤）液晶パネル６５ａ，Ｇ（緑）液晶パネル６５ｂ，Ｂ（青）液晶パネル６５ｃを用いた３つの光変調装置により色光毎に画像情報に応じて変調し、画像変調後の各色光をクロスダイクロイックプリズム６６で合成し、投写レンズ部６７を介してカラー画像を拡大投写する。いわゆる三板式のプロジェクタである。
【００３９】
天井照明部５５には、天井照明ランプ１２が配設され、操作部５のブレイクスイッチ９が押下されて画像再生部が画像の再生を一時停止し、前記天井照明ランプ１２が点灯された場合、天井照明ランプ１２からの光は反射板５９によって、投射部本体２の上方に設けたランプカバー１１を透過してプロジェクタ１の外部へ出て部屋の照明をするようになっている。天井照明ランプ１２が点灯していない場合のランプカバー１１は、内部の天井照明ランプ１２等が見えないように内側がスリガラス状になっている。材質は、ガラスまたはプラスチック等の光を透過させる物から成っている。
【００４０】
操作部５は、少なくとも、ブレイクスイッチ９と発光部９ａとから成り投射部本体２の筐体に付装されている。ブレイクスイッチ９は、電気的に電気回路部５３に接続しており、ブレイクスイッチ９を押下した場合には、ブレイクスイッチ９から得られた信号を電気回路部５３に送り、電気回路部５３が発光部９ａを点灯または点滅させるようになっている。電気回路部５３の構成については、図８で詳述する。
【００４１】
図７は、ばねピンの断面図である。ばねピン７３は、回転体７１に固着されている外筒部９０と外筒部９０の中を可動できる可動ピン９１と可動ピン９１を押圧するコイルばね９２とを備えている。外筒部９０の中にコイルばね９２を組み込み、可動ピン９１を押した状態で外筒部９０の絞り部９０ａを変形させ可動ピン９１が抜けないように構成してある。また、可動ピン９１の一端９１ａは、固定体７４に固着された固定電極７５と電気的に接続している。固定電極７５は、外周を絶縁処理された接続線７６と電気的に接続し、投射部本体２の電気回路部５３（図６に示す）に電気的に接続している。また、外筒部９０の他端は、フレキシブル基板７２のパターン成形された電極７２ａに半田９３で電気的に接続している。つまり、コイルばね９２を撓めた力で、可動ピン９１は固定電極７５を常に押圧しており、投射部本体２が画像再生部本体５０に対して回転をした場合でも、電気的に接続しているようになっている。
【００４２】
図８は、プロジェクタの電気的構成図である。プロジェクタ１は、制御部としてのＣＰＵ（Central Processing Unit）１００とＲＯＭ(Read Only Memory)１０１とＥＥＰＲＯＭ（Electrically Erasable Programmable Read Only Memory）１０２及びＲＡＭ（Random Access Memory）１０３とを備えている。また、ソース選択部１０４、リモコン受光部１０５、ユーザインタフェイス（以降、ユーザＩ／Ｆという）１０６、画像再生部２０、投射部３、音制御部１０７、計時部１９４、間接照明部６８、及び天井照明部５５を有し、これらはデータバス１１０を介してそれぞれ互いに電気的に接続されている。
【００４３】
ＣＰＵ１００がＲＯＭ１０１及びＥＥＰＲＯＭ１０２に記憶された制御プログラムや各種アプリケーションプログラムに基づいて各種動作を実行する。ＥＥＰＲＯＭ１０２は、制御プログラムや各種アプリケーションプログラムを電気的に内容を書き換えることができるＲＯＭである。ＲＡＭ１０３は、処理中のデータやプログラムを格納しており、経過時間バッファ１５６と記録処理中の画像データ及び音データのバッファとして記録バッファ１０３ａを備えている。プロジェクタ１の電源を切ると、ＲＡＭ１０３にあるメモリの内容は自動的に消去される。
【００４４】
ソース選択部１０４は、Ｉ／Ｏポート１１７を介して、例えばＰＣ（Personal Computer）等の外部機器１１８との接続をする。外部機器１１８で作成した画像データまたは音データをソース選択部１０４が受け取った場合は、ＣＰＵ１００が画像データを光変調光学系駆動制御部１１４に送り、Ｒ（赤）液晶パネル６５ａ、Ｇ（緑）液晶パネル６５ｂ、Ｂ（青）液晶パネル６５ｃを用いた３つの光変調装置により色光毎に画像情報に応じて変調し、画像変調後の各色光をクロスダイクロイックプリズム６６で合成し、投写レンズ部６７を介してカラー画像を拡大投写する。音データはＣＰＵ１００が音制御部１１５に送り、音制御部１１５は、送られた音データを増幅等の処理をして音信号に変換して複数のスピーカ１１６に送り、音として視聴者が聞くことができるようになる。
【００４５】
リモコン受光部１０５は、リモートコントローラ１２０のリモコン発光部１１９から発せられた赤外線を受光し、受光した赤外線に含まれる各種命令を信号に変換し、ＣＰＵ１００に伝える。伝えられたＣＰＵ１００は、制御プログラムや各種アプリケーションプログラムを実行する。
【００４６】
ＣＰＵ１００は、操作部５に設けられた各スイッチ６〜１０（図２に示す）の操作に基づく信号をユーザＩ／Ｆ１０６を介して入力するようになっている。つまり、ＣＰＵ１００は操作部５に設けられた各スイッチ６〜１０の操作に基づく信号により、制御プログラムや各種アプリケーションプログラムに基づいて各種処理を実行する。
【００４７】
画像再生部２０は、前記記録媒体Ｄを挿着し回転させて画像データまたは音データを読み取る読取部１５０、読取部１５０で読み取ったアナログ信号を整形してディジタル信号にするための信号処理部１６０、信号処理部１６０によりディジタル信号に戻った信号は、定められたルールに従って元の符号に戻すデコーダ部１７０、間接照明部６８及び画像再生計時部１５５等を備えている。また、画像データまたは音データを記録媒体Ｄに記録するためのエンコーダ部１５７を備えている。
【００４８】
読取部１５０は、記録媒体Ｄを載せて回転するスピンドルモータ部１５１と、スピンドルモータ部１５１を駆動するスピンドルモータ駆動部１５２と、記録媒体Ｄに記録されている画像データまたは音データを読み取るレーザピックアップ部１５３と、スピンドルモータ部１５１とレーザピックアップ部１５３との間をサーボ制御するサーボ制御部１５４とを備えている。
【００４９】
デコーダ部１７０は、信号処理部１６０のディジタル信号の中で画像の信号を定められたルールに従って元の符号に戻す画像処理部１７１と、信号処理部１６０のディジタル信号の中で音の信号を定められたルールに従って元の符号に戻す音処理部１７２とを備えている。画像処理部１７１で処理されたデータは、画像処理部１７１が有している画像バッファ部１７１ａに一時的に格納され、先入れ先出し方式で画像専用データバス１２１を介して光変調光学系駆動制御部１１４へ送られる。また、音処理部１７２で処理された音データは、音処理部１７２が有している音バッファ部１７２ａに一時的に格納され、先入れ先出し方式で音専用データバス１２２を介して音制御部１１５へ送られる。
【００５０】
ＣＰＵ１００は、操作部５のブレイクスイッチ９が押下されると、間接照明部６８を点灯させる。また、ブレイクスイッチ９が再び押下されると、点灯を取り止める。
画像再生計時部１５５は、読取部１５０での画像再生の経過時間を計測しており、経過時間のデータは、ＲＡＭ１０３の中にある経過時間バッファ１５６に逐次記憶される。
エンコーダ部１５７は、操作部５の記録スイッチ８ｅが押下されデータバス１１０を介して送られてきた画像データをエンコード（圧縮）する画像圧縮処理部１５８と、同様に送られてきた音データをエンコード（圧縮）する音圧縮処理部１５９とを備えている。エンコーダ部１５７で圧縮処理されたデータは、信号処理部１６０で書き込み信号に変換されＤＶＤ等の記録媒体Ｄに記録される。
【００５１】
投射部３には、光変調光学系駆動制御部１１４と、光変調装置と、クロスダイクロイックプリズム６６と、投写レンズ部６７と、投写画面補正制御部１８０と、投写画面手動調整部１８１と、光源部１９０と、光源駆動制御部１９１と、光学冷却部１９２と、光学冷却駆動制御部１９３と、計時部１９４及び天井照明部とを備えている。
【００５２】
操作部５にある再生スイッチ８の再生スイッチ８ａが押下されると、記録媒体Ｄの有無をレーザピックアップ部１５３が検出し、記録媒体Ｄがある場合は、読取部１５０を作動するとともに画像処理部１７１の画像データを一時的に画像バッファ部１７１ａに格納し、先入れ先出し方式で画像専用データバス１２１を介して光変調光学系駆動制御部１１４に送られる。送られた画像データは、Ｒ（赤）液晶パネル６５ａ、Ｇ（緑）液晶パネル６５ｂ、Ｂ（青）液晶パネル６５ｃを用いた３つの光変調装置により色光毎に画像情報に応じて変調し、画像変調後の各色光をクロスダイクロイックプリズム６６で合成し、投写レンズ部６７を介してカラー画像を拡大投写する。また、記録媒体Ｄから読み取られた音データは、音処理部１７２の音データを一時的に音バッファ部１７２ａに格納し、先入れ先出し方式で音専用データバス１２２を介して音制御部１１５へ送られる。音制御部１１５は、送られた音データを増幅等の処理をして音信号に変換し、複数のスピーカ１１６に送られ音として視聴者が聞くことができるようになる。
【００５３】
光変調光学系駆動制御部１１４には、投写画面補正制御部１８０と投写画面手動調整部１８１とがデータバス１１０を介して接続されている。投写画面補正制御部１８０は、投写レンズ部６７からスクリーンＳ等に画像が投写された場合、投写レンズ部６７とスクリーンＳとの相対位置により、投写されたスクリーンＳ上の画面が歪んでしまうため、その歪みを補正する機能を有する。操作部５のキーストーンスイッチ７が押下されて得られた信号により、ＣＰＵ１００は、投写レンズ部６７とスクリーンＳとの相対位置によって歪んだ投写画面を補正する。
【００５４】
投写画面手動調整部１８１には、投写画面の輝度、コントラスト比、色調整等の設定を手動で調整する機能を有する。
光源部１９０は、光源駆動制御部１９１により電力が与えられ、光源部１９０のランプ（図示せず）が発光して、Ｒ（赤）液晶パネル６５ａ、Ｇ（緑）液晶パネル６５ｂ、Ｂ（青）液晶パネル６５ｃのそれぞれに光束を供給するものである。
【００５５】
光学冷却部１９２は、光学冷却駆動制御部１９３により駆動制御され、光源部１９０から発せられる熱を冷却除去するものである。操作部５の電源スイッチ６が押下されることにより与えられる点灯を指示する信号により、ＣＰＵ１００は、光源駆動制御部１９１に光源部１９０に電力を与えるよう命令実行するとともに、光学冷却駆動制御部１９３にも光学冷却部１９２を駆動するよう命令実行する。また、操作部５の電源スイッチ６が押下されることにより与えられる消灯を指示する信号により、光源駆動制御部１９１は光源部１９０に供給していた電力を停止しランプを消す。しかし、この場合、液晶パネル６５ａ〜６５ｃ部の温度はかなり高いため、光学冷却部１９２は液晶パネル６５ａ〜６５ｃ部を冷却し続ける必要がある。ＣＰＵ１００は、所定時間後または温度検知センサ（図示せず）またはタイマ機能を有するタイマ部（図示せず）により、液晶パネル６５ａ〜６５ｃ部の温度が充分下がったことを検知してから、光学冷却駆動制御部１９３に停止の命令実行をする。
【００５６】
計時部１９４は、画像再生部２０が再生中に操作部５のブレイクスイッチ９が押下されることによって発生する画像再生部２０の一時停止信号を受けてから一時停止時間を計時し始める。計時された計時データはＲＡＭ１０３に逐次保存される。ＲＯＭ１０１またはＥＥＰＲＯＭ１０２に保存されている制御プログラムや各種アプリケーションプログラムの中に一時停止時間の所定の時間（以降、所定一時停止時間という）例えば、３０分を組み込んである。ＲＡＭ１０３に保存されている計時部１９４によって計時された計時データが前記所定一時停止時間を超えた場合は、ＣＰＵ１００が画像再生部２０を一時停止の状態から停止させるとともに、光源部１９０を消灯させ、さらに所定時間後または温度検知センサ（図示せず）またはタイマ機能を有するタイマ部（図示せず）により、液晶パネル６５ａ，６５ｂ，６５ｃ部の温度が充分下がったことを検知してから、光学冷却部１９２を停止させ、投射部３も停止する。つまり、映画を鑑賞中に一旦休憩をしたが、そのまま眠ってしまった場合、画像再生部２０と投射部３は停止操作をしない限り、作動したままとなってしまう状況を回避するため、一時停止時間が所定一時停止時間を超えると自動的にＣＰＵ１００が画像再生部２０と投射部３の停止を実行する。
【００５７】
ＲＯＭ１０１またはＥＥＰＲＯＭ１０２には、案内画像の画像データ１１２と音データ１１３を記憶しているデータ記憶部１１１を有している。画像再生部２０が画像再生中に操作部５のブレイクスイッチ９を押下すると、ブレイクスイッチ９からの信号をＣＰＵ１００が受け取り、信号を受け取ったＣＰＵ１００は、画像再生部２０を一時停止させるとともに、ＲＯＭ１０１またはＥＥＰＲＯＭ１０２にあるデータ記憶部１１１の案内画像の画像データ１１２を読み出す。ＣＰＵ１００は、光変調光学系駆動制御部１１４に対し、読み出した案内画像の画像データ１１２に切り換える命令を出す。つまり、画像再生部２０が画像再生中にブレイクスイッチ９が押下されると、画像再生部２０が停止するとともに、投射部３の投写レンズ部６７から投写される画像が、記録媒体Ｄの再生画像から案内画像の画像データ１１２に切り替わるようになっている。
【００５８】
また、画像再生部２０が画像再生中にブレイクスイッチ９が押下されると、ＣＰＵ１００は、ＲＯＭ１０１またはＥＥＰＲＯＭ１０２にあるデータ記憶部１１１の音データ１１３を読み出し、音制御部１１５に音データ１１３を与え、スピーカ１１６より音を発する。つまり、ブレイクスイッチ９が押下されると、画像再生部２０が停止し記録媒体Ｄの再生音も停止する。本実施形態では、落ち着いて休憩をするためにブレイクスイッチ９が押下されると、予めデータ記憶部１１１に記憶された音データに基づく音をスピーカ１１６から発するようになっている。また、画像再生部２０が画像再生中にブレイクスイッチ９が押下されると、ＣＰＵ１００は、ブレイクスイッチ９の近傍に配設された発光部９ａを点灯または点滅させる。この場合、ＣＰＵ１００は、発光部９ａの点滅と音データ１１３の再生のリズムとを合わせて点滅するようにしてもよい。
【００５９】
間接照明部６８と天井照明部５５は、画像再生部２０と投射部３とに配設され、画像再生部２０が再生中に操作部５のブレイクスイッチ９が押下されて得られた一時停止信号をＣＰＵ１００が受け取ると、ＣＰＵ１００は、画像再生部２０と投射部３とに配設された間接照明部６８及び天井照明部５５の少なくとも１つの照明を点灯させる。
【００６０】
図９は、プロジェクタのプログラムのフローチャートである。以下、ＣＰＵ１００が画像再生部停止の状態から実行する処理内容を説明する。
【００６１】
まず、ステップ（以下単に「Ｓ」と記す）２００では、操作部５の各種スイッチが操作されて得られた信号に基づいて、ＣＰＵ１００がプログラムを実行する。Ｓ２０１では、記録媒体Ｄの画像再生を開始する操作部５の再生スイッチ８ａが押下されたか否かを判断する。再生スイッチ８ａが押下された場合は、操作部５の再生スイッチ８ａを押下して得られる信号をＣＰＵ１００が受け取り、画像再生部２０での画像再生を開始すると判断してＳ２０２へ進む。操作部５の再生スイッチ８ａが押下されない場合は、画像再生しないで画像再生部停止Ｓ２００を継続する。
【００６２】
Ｓ２０２では、記録媒体Ｄが画像再生部２０に挿着されているか否かを判断する。記録媒体Ｄが画像再生部２０に挿着されている場合は、Ｓ２０３へ進む。記録媒体Ｄが画像再生部２０に挿着されていない場合は、画像再生部停止Ｓ２００を継続する。
【００６３】
Ｓ２０３では、画像再生部２０で再生処理された記録媒体Ｄの画像信号はデータバス１１０を介して投射部３に送られ、前記光変調光学系駆動制御部１１４、前記光変調装置及びクロスダイクロイックプリズム６６を経て前記投写レンズ部６７よりスクリーンＳ等にカラー画像を拡大投写する。また、画像再生部２０で再生処理された音信号はデータバス１１０を介して音制御部１１５へ送られ前記処理を施して前記スピーカ１１６から音として視聴者が聞くことができる。
Ｓ２０３で画像再生中に、Ｓ２０４で停止スイッチ８ｂが押下されたか否かを判断する。停止スイッチ８ｂが押下された場合はＳ２１２へ進む。また、停止スイッチ８ｂが押下されされない場合は、Ｓ２０３の状態を継続する。
Ｓ２０３で画像再生中に、Ｓ２０５でブレイクスイッチ９が押下されたか否かを判断する。ブレイクスイッチ９が押下された場合は、Ｓ２０６に進む。また、ブレイクスイッチ９が押下されない場合は、Ｓ２０３の状態を継続する。
【００６４】
Ｓ２０６では、画像再生部２０での記録媒体Ｄの再生を一時停止する。このため、画像は１つの場面で止まり、音の再生も止まる。また、ＣＰＵ１００は、ブレイクスイッチ９が押下された信号に基づき計時部１９４に対し、一時停止している時間を計時するよう命令する。計時された計時データはＲＡＭ１０３に逐次保存される。
【００６５】
Ｓ２０７では、ＲＯＭ１０１またはＥＥＰＲＯＭ１０２にあるデータ記憶部１１１の案内画像の画像データ１１２を読み出し、画像再生部２０が一時停止している画面を前記案内画像の画像データ１１２に切り換えて表示する。このとき、操作部５のブレイクスイッチ９の近傍に配設された発光部９ａが点灯または点滅する。この場合、ＣＰＵ１００は、発光部９ａの点滅と前記音データ１１３の再生のリズムとを合わせて点滅させてもよい。また、画像再生部２０と投射部３に配設された間接照明部６８及び天井照明部５５の少なくとも一方が点灯する。また、ＲＯＭ１０１またはＥＥＰＲＯＭ１０２にあるデータ記憶部１１１の音データ１１３を読み出し、音制御部１１５に前記音データ１１３を与え、スピーカ１１６より音を発する。
【００６６】
Ｓ２０８では、画像再生開始画面を一時停止画面より以前に戻す。ＲＯＭ１０１またはＥＥＰＲＯＭ１０２に画像再生開始画面よりどの位前に戻した画面から再生するかを予め戻し時間としてプログラムで設定してある。戻し時間は、例えば１分等である。ＣＰＵ１００は、画像再生部２０にある画像再生計時部１５５が計時して、ＲＡＭ１０３の経過時間バッファ１５６に保存されている経過時間のデータより、前記戻し時間を減ずるとともに画像再生部２０の読取部１５０において記録媒体Ｄ上を前記戻し時間に相当する分だけレーザピックアップ部１５３の位置を移動して待機状態とする。
【００６７】
Ｓ２０９では、ブレイクスイッチ９が再び押下されたか否かを判断する。ブレイクスイッチ９が再び押下された場合は、Ｓ２０７での案内画像表示、ブレイクスイッチ９の近傍に配設された発光部９ａの点灯または点滅、間接照明部６８または天井照明部５５の点灯及びスピーカ１１６からの前記音をすべて停止し、Ｓ２１０へ進む。また、ブレイクスイッチ９が再び押下されない場合は、Ｓ２０８の状態を継続する。
【００６８】
Ｓ２１０では、報知画像表示がされる。ＣＰＵ１００は、ＲＯＭ１０１またはＥＥＰＲＯＭ１０２に予め記憶されている報知画像８６（図５に示す）のデータを読み出して、それまで表示していた案内画像７０の表示を報知画像８６に切り換える。切り換えられた報知画像８６を表示している時間は予めプログラムで設定してある。例えば５秒。また、部屋の照明をしていた比較的明るい案内画像７０から報知画像８６に切り替わると報知画像８６は前記５秒の間に明度または彩度を徐々に下げるように変化する。報知画像８６を表示する時間が終了するとＳ２１１へ進む。
【００６９】
Ｓ２１１では、Ｓ２０８で前記戻し時間だけ戻った一時停止した画面に戻るとともに画像再生部２０での画像再生を開始するためＳ２０３へと進む。
【００７０】
Ｓ２１２では、一時停止時間が所定一時停止時間より過ぎているか否かを判断する。計時部１９４が計時してＲＡＭ１０３に逐次保存されている計時データが、前記所定一時停止時間を超えた場合は、案内画像表示、ブレイクスイッチ９の近傍に配設された発光部９ａの点灯または点滅、間接照明部６８及び天井照明部５５の点灯及びスピーカ１１６からの前記音をすべて停止し、Ｓ２１３へ進む。また、前記一時停止の計時データが前記所定一時停止時間を超えていない場合は、Ｓ２０８の状態を継続する。
【００７１】
Ｓ２１３では、画像再生部２０を停止する。これにより、ＲＡＭ１０３に保存されている画像再生計時部１５５及び計時部１９４のデータはＣＰＵ１００が消去する。
Ｓ２１４では、投射部３の光源部１９０を停止させる。
Ｓ２１５では、光学冷却部１９２を停止させる。
Ｓ２１６では、投射部３を停止させる。
こうして、制御部としてのＣＰＵ１００、ＲＯＭ１０１、ＥＥＰＲＯＭ１０２及びＲＡＭ１０３とによって、各種の動作を実現している。
【００７２】
本実施形態では、ブレイクスイッチ９が押下された場合に、画像再生部２０が画像の再生を一時停止する形態で説明しているが、ブレイクスイッチ９が押下された場合に、画像再生部２０が画像の再生を停止するようにしても本実施形態と同様に適用されるものである。
【００７３】
以下、第１の実施形態の効果を記載する。
【００７４】
（１）記録媒体Ｄの再生中に、操作部５のブレイクスイッチ９を押下する再生の一時停止操作がされると、投射部３から停止中である旨を示す案内画像７０を投写させることにより、記録媒体Ｄの一時停止画像を休憩している間ずっと見ていることなく、落ち着いて休憩できる。また、ブレイクスイッチ９を押下するだけで、再生が一時停止し、自動的に案内画像７０に切り替わるため、映画等を観ている際の休憩が圧倒的に簡単にできる。
【００７５】
（２）前記案内画像７０を予め設定された照明を兼ねる所定の明度または彩度にて投写させることにより、映画等を観ている部屋の照明を明るくすること無く休憩することができる。
【００７６】
（３）前記案内画像７０に表示された文字または絵の状態を変化させることによって、画像再生部２０のトラブル等によって一時停止しているのではないことを、休憩している人に報知することができる。
【００７７】
（４）前記案内画像７０を投写させているときに前記スピーカ１１６から所定の音を発することによって、落ち着いた休憩ができる。
【００７８】
（５）前記案内画像７０に画像再生部２０の再生を開始する手順を知らせる文字または絵を含むことによって、休憩が終わって映画等の再生を開始しようとする時に、確実に再生をすることができる。
【００７９】
（６）ブレイクスイッチ９を押下することによって一時停止信号が与えられると、ブレイクスイッチ９近傍の発光部９ａを点灯または点滅させることことにより、薄暗い部屋の中でもブレイクスイッチ９の位置がはっきりと確認でき、再生を開始する際に確実に操作することができる。
【００８０】
（７）ブレイクスイッチ９を押下することによって一時停止信号が与えられると、投射部３の天井照明部５５または画像再生部２０の間接照明部６８の少なくともどちらか一方から光を照射させることにより、映画等を観ている部屋の照明を点灯すること無く休憩をすることができる。
【００８１】
（８）一時停止している状態で、操作部５のブレイクスイッチ９を再び押下することによって、画像再生部２０の画像再生を開始させ、前記投射部３に投写させていた前記案内画像７０を前記画像再生部２０の再生画像に切り換えることによって、休憩を終えて映画等の鑑賞を再開することができる。
【００８２】
（９）一時停止している状態で、ブレイクスイッチ９を再び押下することによって再生開始信号が与えられたときは、前記画像再生部２０に対し、一時停止時の画像より少なくとも前に戻った画像から画像再生を開始させることによって、休憩前の映画等のストーリーを思い出すことができるため、映画等の続きを無理なく鑑賞することができる。
【００８３】
（１０）計時部１９４によって計時された時間が所定の時間を経過した場合に、前記画像再生部２０を一時停止の状態から停止させるとともに、前記プロジェクタの光源部１９０を消灯させ、さらに所定時間後に光学冷却部１９２を停止させることにより、液晶パネル６５ａ，６５ｂ，６５ｃ等の光学系部材の熱による劣化を防ぐとともに、省電力化に貢献することができる。
【００８４】
（１１）画像再生部本体５０の上面に投射部本体２が傾動可能に設けられ、プロジェクタ１を台等に載置し、スクリーンＳ等に画像を投写する場合に、軽く投射部３を前後左右または回転することができるため、容易にセットすることができる。
【００８５】
（１２）画像再生部本体５０の上面に投射部本体２が傾動可能に設けられ、操作部５は投射部本体２に設けられているため、投射部３の操作と画像再生部２０の操作を容易にすることができる。
【実施例２】
【００８６】
次に第２の実施形態について図１０〜図１２で説明する。
【００８７】
この実施形態は、外部機器等により作成された案内画像のデータまたは音のデータをプロジェクタに記憶し、記憶された案内画像または音のデータを選択して、再生の一時停止時にその選択された案内画像または音を使うことができるようにしたものである。第１の実施形態と異なる点のみを記載する。
【００８８】
図１０は、プロジェクタの斜視図である。プロジェクタ１の投射部本体２の上面に、液晶パネル等からなる表示画面３０１と表示処理部等から成る表示部３００が配設されている。表示部３００には、表示操作部３１０を備えており、表示画面３０１に表示されるデータを選択して決定する等の機能を有する。
【００８９】
図１１は、表示部の拡大平面図である。表示部３００は、表示画面３０１と表示操作部３１０とを備えている。表示操作部３１０には、上選択スイッチ３１１と下選択スイッチ３１２とから成る選択スイッチ３１７と、決定スイッチ３１３と、キャンセルスイッチ３１４と、画像データ表示スイッチ３１５及び音データ表示スイッチ３１６とを備えている。
【００９０】
表示画面３０１には、画像データまたは音データのデータ名が表示され、前記選択スイッチ３１７によって表示画面３０１上のカーソルを移動して所望のデータを選択することができる。選択されたデータを決定する場合は、決定スイッチ３１３を押下しデータを決定する。また、この時点で決定したデータをキャンセルするにはキャンセルスイッチ３１４を押下するとキャンセルされ、再びデータを選択する画面に戻る。画像データ表示スイッチ３１５を押下するとプロジェクタ１に記憶されている画像データのデータ名が表示画面３０１に表示される。音データ表示スイッチ３１６を押下するとプロジェクタ１に記憶されている音データのデータ名が表示画面３０１に表示される。
【００９１】
図１２は、本実施形態のプロジェクタの電気的構成図である。
【００９２】
プロジェクタ１は、制御部としてのＣＰＵ（Central Processing Unit）１００とＲＯＭ(Read Only Memory)１０１とＥＥＰＲＯＭ（Electrically Erasable Programmable Read Only Memory）１０２及びＲＡＭ（Random Access Memory）１０３を備えている。また、少なくともソース選択部１０４、ユーザＩ／Ｆ１０６、画像再生部２０、投射部３及び音制御部１０７を有し、これらはデータバス１１０を介してそれぞれ互いに電気的に接続されている。
【００９３】
ソース選択部１０４は、Ｉ／Ｏポート１１７を介して、例えばＰＣ（Personal Computer）等の画像作成装置としての外部機器１１８との接続をする。外部機器１１８で作成した文字または絵を含む画像データまたは音データをソース選択部１０４が受け取った場合は、ＣＰＵ１００は画像データを光変調光学系駆動制御部１１４に送り、Ｒ（赤）液晶パネル６５ａ、Ｇ（緑）液晶パネル６５ｂ、Ｂ（青）液晶パネル６５ｃを用いた３つの光変調装置により色光毎に画像情報に応じて変調し、画像変調後の各色光をクロスダイクロイックプリズム６６で合成し、投写レンズ部６７を介してカラー画像を拡大投写する。音データはＣＰＵ１００が音制御部１１５に送り、送られた音データを増幅等の処理をして音信号に変換し、複数のスピーカ１１６に送られ音として視聴者が聞くことができるようになる。
【００９４】
また、外部機器１１８によって作成された案内画像７０をプロジェクタ１に記憶させることができる。この場合、投射部３から単に投写するデータと区別する必要がある。本実施形態では、ＲＯＭ１０１またはＥＥＰＲＯＭ１０２には、コンピュータ同士のデータのやり取りをするためのプロトコル（Protocol）が記憶されており、記憶されたプロトコルの範囲で、ＰＣ等の外部機器１１８とのデータのやり取りができる。ＰＣ等の外部機器１１８からＩ／Ｏポート１１７を介してソース選択部１０４がデータを受け取ると、ＲＯＭ１０１またはＥＥＰＲＯＭ１０２のデータ記憶部１１１に記憶されたメッセージ３３０をＰＣ等の外部機器１１８に対して送る。メッセージ３３０は、ＰＣ等の外部機器１１８から送られたデータが「投射部３から単に投写するデータ」か「案内画像７０のデータ」かを問い合わせるものである。この問い合わせの中には、ＰＣ等の外部機器１１８からプロジェクタ１に対して返事を送ることができるようになっている。ＰＣ等の外部機器１１８からの返事が「投射部３から単に投写するデータ」の場合は、ＣＰＵ１００は、光変調光学系駆動制御部１１４にデータを送り、スクリーンＳ等に画像を投写する。また、ＰＣ等の外部機器１１８からの返事が「案内画像７０のデータ」の場合は、ＣＰＵ１００は、案内画像７０のデータをＥＥＰＲＯＭ１０２のデータ記憶部１１１にファイル名を付けて記憶する。
【００９５】
また、ＰＣ等の外部機器１１８から送られたデータが音のデータである場合も同様に、プロジェクタ１と外部機器１１８との間でデータのやり取りを実行して、画像再生部２０が一時停止している間に発する音データの場合は、ＥＥＰＲＯＭ１０２のデータ記憶部１１１にファイル名を付けて記憶する。
【００９６】
ＥＥＰＲＯＭ１０２に記憶された前記案内画像７０のデータと前記音データのファイル名は、ユーザＩ／Ｆ１０６を介して、表示処理部３０２に送られる。表示操作部３１０に配設されている画像データ表示スイッチ３１５（以下、スイッチに関しては図１１に示す。）または音データ表示スイッチ３１６によって案内画像７０として表示するデータを選択できる。例えば、画像データ表示スイッチ３１５を押下した場合は、表示画面３０１にＥＥＰＲＯＭ１０２に記憶された前記案内画像７０のデータ名が表示される。選択スイッチ３１７を押下して、表示画面３０１に表示されているカーソルを移動して所望のファイルを選択して決定スイッチ３１３を押下する。ＣＰＵ１００は、決定スイッチ３１３が押下された信号を受け、画像再生部２０が一時停止されている場合に投射部３より投写する案内画像７０を前記決定スイッチ３１３で決定したデータにＥＥＰＲＯＭ１０２のデータ記憶部１１１のデータを変更する。決定スイッチ３１３によって決定されたデータが音データの場合も同様に、ＣＰＵ１００がＥＥＰＲＯＭ１０２のデータ記憶部１１１のデータを変更する。
【００９７】
また、画像再生部２０の一時停止中に使用される、ＰＣ等の外部機器１１８で作成された案内画像７０のデータまたは音データの再生時間が操作部５のブレイクスイッチ９が押下される前に終了してしまった場合は、繰り返し連続して再生することができる。
【００９８】
また、表示画面３０１上で、選択スイッチ３１７でカーソルを移動してカーソルがあるファイルの画像または音を知りたい場合は、表示スイッチ３１８を押下する。押下されたデータが画像データの場合は、サムネイル画像として低解像度の画像を表示し、カーソルで選択されている案内画像７０の内容を知ることができる。また、カーソルで選択されているデータが音データの場合は、表示スイッチ３１８を押下すると、ＣＰＵ１００は、ＥＥＰＲＯＭ１０２のデータ記憶部１１１から選択された音データを読み出し、読み出したデータを音制御部１１５へ送り、スピーカ１１６より音を発し、選択されている音データの内容を聞くことができる。
【００９９】
ＰＣ等の外部機器１１８から送られたデータが、投射部３より投写されるデータである場合で、データをプロジェクタ１に一旦記憶させて、後で投写させたい場合は、前記データに名前を付けてＥＥＰＲＯＭ１０２に記憶させるかまたは、操作部５の記録スイッチ８ｅ（図２に示す）を押下し、記録媒体Ｄに記録させる。ＥＥＰＲＯＭ１０２または記録媒体Ｄに記憶されたデータの名前は、表示画面３０１に表示され表示操作部３１０を操作することにより、ＥＥＰＲＯＭ１０２または記録媒体Ｄに記憶されたデータを選択して、いつでもどこでも再生投写して画像または音を利用することができる。
【０１００】
以下、第２の実施形態の効果を記載する。
【０１０１】
（１３）操作部５のブレイクスイッチ９が操作され、この操作で得られる停止信号でＣＰＵ１００は、画像再生部２０を一時停止し、表示操作部３１０により選択された文字または絵を含む案内画像７０の画像データをデータ記憶部１１１から読み出して、前記画像データに基づく案内画像７０を投射部３から投写させるため、休憩中に視聴者が予めプロジェクタ１に用意されている案内画像７０の中から選択して嗜好に合った案内画像７０を楽しむことができる。
【０１０２】
（１４）プロジェクタ１に予め用意されている案内画像７０に加え、画像作成装置としての外部機器１１８で作成された音データや案内画像７０としての画像データをデータ記憶部１１１に記憶し、表示画面３０１に表示される。表示操作部３１０を操作して表示画面から好みの案内画像７０を選択し、予めプロジェクタ１に用意されている案内画像７０に加え、視聴者が独自に記憶させた案内画像７０または音データの中から選択できるため、休憩中に視聴者がさらに嗜好に合った案内画像７０や音を楽しむことができる。
【０１０３】
（１５）操作部５のブレイクスイッチ９が操作され、この操作で得られる停止信号でＣＰＵ１００は、画像再生部２０を一時停止し、表示操作部３１０により選択された音データをデータ記憶部１１１から読み出して、前記音データに基づく音をスピーカ１１６から発するため、休憩中に視聴者が予めプロジェクタ１に用意されている音の中から選択して嗜好に合った音を楽しむことができる。
【０１０４】
（１６）投射部３から案内画像７０を投写させているときに、スピーカ１１６からデータ記憶部１１１に記憶されている音（所定の音）を発するとともに、前記音に同期して操作部５に配設された発光部９ａを点滅させるため、気分転換になる。また、部屋の照明が薄暗い場合は、再生を開始するブレイクスイッチ９の位置が視聴者にはっきり報知され、簡単に休憩を終わることができる。
【０１０５】
（１７）間接照明部６８、天井照明部５５による照明の明度又は彩度が変化するため、休憩中であることが視聴者に報知されるとともに、画像再生部２０でのトラブルにより停止しているのではなく、一時停止していることを視聴者に報知することができる。
【０１０６】
（１８）操作部５のブレイクスイッチ９を操作して再生を開始すると、投写レンズ部以外から光を照射する間接照明部６８、天井照明部５５の照明を所定の低明度まで段階的に下げるため、明るい案内画像７０から急に暗い再生画面にならず、視聴者の目の調節を自然にさせることができる。
【０１０７】
（１９）操作部５のブレイクスイッチ９を操作して再生を開始する前に、投射部３に投写させている案内画像７０を画像再生部２０が再生を開始することを報知させる報知画像８６に切り換えるため、再生が開始することを報知することができる。
【０１０８】
（第１の実施形態及び第２の実施形態の変形例）
【０１０９】
前記実施形態は、上記に限定されず、以下のように変更することができる。
（変形例１）操作部を再生開始操作して、画像再生部の画像再生を開始する場合、予め設定された照明を兼ねる所定の明度の案内画面が徐々に暗くなってから、案内画像７０を画像再生部の再生画像に切り換え、画像再生部は停止時の画像より少なくとも前に戻った画像から画像再生を開始するようにしてもよい。
【０１１０】
（変形例２）図９のＳ２０８で、画像再生開始画面を一時停止画面より以前に戻したが、Ｓ２１０の後でもよい。
【０１１１】
（変形例３）ＤＶＤの再生中にブレイクスイッチ９が押下されたときに表示される案内画像の一部に、一時停止したときの画像を使用してもよい。この場合は、ＲＡＭ１０３に保存されている一時停止したときの画像データを使用するので、画像再生部が次に再生するために前記戻し時間に相当する分だけレーザピックアップ部１５３の位置を移動して待機状態になっても、画像が乱れることはない。ここで、案内画面の背景に一時停止したときの画像を使用する場合は、この背景の明度や彩度、色相は一時停止したときの画像データと同じでなくともよい。また、休憩を示す絵などと並べて一時停止したときの画像を縮小した画像を表示してもよい。
【０１１２】
（変形例４）図９のＳ２０５において、ブレイクスイッチ９が押下されてから経過した時間が、プログラムに予め設定されている許容ブレイク時間を超えた場合は画像再生部２０の再生を開始させてもよい。また、許容ブレイク時間に基づいて画像再生部２０の再生を再開するまでの残り時間を案内画像７０の一部として投写させてもよい。
【０１１３】
前記各実施形態及び変形例から把握される技術的思想を以下に記載する。
【０１１４】
（１）請求項１〜７のいずれか一項に記載のプロジェクタにおいて、前記一時停止信号が与えられてから一時停止時間を計時する計時部を備え、前記制御部は、前記計時部によって計時された時間が所定一時停止時間を経過した場合に、前記画像再生部を一時停止の状態から停止させるとともに、前記プロジェクタの光源部を消灯させ、さらに所定時間後に光学冷却部を停止させることを特徴とするプロジェクタ。
【０１１５】
（２）請求項１〜７のいずれか一項に記載のプロジェクタにおいて、前記画像再生部の停止中に、前記投射部から投写させる前記案内画像に含まれる前記文字または絵を選択する表示操作部を備え、前記制御部は、前記停止信号が与えられると、前記表示操作部により選択された文字または絵を含む案内画像の画像データを前記データ記憶部から読み出して、前記画像データに基づく案内画像を前記投射部から投写させることを特徴とするプロジェクタ。
【０１１６】
（３）請求項１〜７のいずれか一項に記載のプロジェクタにおいて、画像作成装置で作成した画像データを読み込んで案内画像の画像データとして記憶するデータ記憶部と、前記画像再生部の停止中に、前記投射部から投写させる前記案内画像を選択する表示操作部とを備え、前記制御部は、前記停止信号が与えられると、前記表示操作部により選択された、前記案内画像の画像データ又は前記画像作成装置で作成された画像データを前記データ記憶部から読み出して、前記画像データに基づく案内画像を前記投射部から投写させることを特徴とするプロジェクタ。
【０１１７】
（４）請求項４〜７のいずれか一項に記載のプロジェクタにおいて、前記画像再生が停止中である旨を示すための音データを記憶するデータ記憶部と、前記画像再生部の停止中に、前記スピーカから発する所定の音を選択する音選択操作部とを備え、前記制御部は、前記停止信号が与えられると、前記音選択操作部により選択された所定の音を前記データ記憶部から読み出して、前記スピーカから前記音データに基づく音を発することを特徴とするプロジェクタ。
【０１１８】
（５）請求項４〜７のいずれか一項に記載のプロジェクタにおいて、音作成装置で作成した音データを読み込んで、前記投射部から前記案内画像を投写させているときに前記スピーカから音を発する音データとして記憶するデータ記憶部と、前記画像再生部の停止中に、前記スピーカから発する音を選択する音選択操作部とを備え、前記制御部は、前記停止信号が与えられると、前記音選択操作部により選択された、前記音データ又は前記音作成装置で作成された音データを前記データ記憶部から読み出して、前記音データに基づく音を前記スピーカから発することを特徴とするプロジェクタ。
【０１１９】
（６）請求項４に記載のプロジェクタにおいて、前記制御部は、前記停止信号が与えられると、前記投射部から前記案内画像を投写させているときに前記スピーカから所定の音を発するとともに、前記音に同期して前記操作部の発光部を点滅させることを特徴とするプロジェクタ。
【０１２０】
（７）請求項２〜７のいずれか一項に記載のプロジェクタにおいて、前記制御部は、前記照明部による照明の明度又は彩度を変化させることを特徴とするプロジェクタ。
【０１２１】
（８）請求項７に記載のプロジェクタにおいて、前記制御部は、前記再生開始信号に基づき、投写レンズ部以外から光を照射する照明部の照明を所定の低明度まで段階的に下げることを特徴とするプロジェクタ。
【０１２２】
（９）請求項９に記載のプロジェクタにおいて、前記制御部は、前記再生開始信号に基づき、前記投射部から投写させている案内画像を、前記画像再生部が再生を開始することを報知させる報知画像に切り換えることを特徴とするプロジェクタ。
【０１２３】
（１０）請求項１〜９のいずれか一項に記載のプロジェクタにおいて、前記画像再生部本体の上面に前記投射部本体が傾動可能に設けらていることを特徴とするプロジェクタ。
【０１２４】
（１１）請求項１〜９のいずれか一項に記載のプロジェクタにおいて、前記画像再生部本体の上面に前記投射部本体が傾動可能に設けられ、前記操作部は前記投射部本体に設けられていることを特徴とするプロジェクタ。
【０１２５】
（１２）請求項１〜９のいずれか一項に記載のプロジェクタにおいて、前記操作部は、画像再生部による再生を停止させる停止スイッチとは別に設けられた休憩専用のブレイクスイッチであることを特徴とするプロジェクタ。
【図面の簡単な説明】
【０１２６】
【図１】第１の実施形態のプロジェクタの斜視図。
【図２】投射部本体に配設された操作部の説明図。
【図３】（ａ）部屋の中でプロジェクタを使ってスクリーンに画像を投写している様子を説明する平面図、（ｂ）案内画像の説明図。
【図４】天井照明部と間接照明部の側面図。
【図５】報知画像の説明図。
【図６】プロジェクタの断面図。
【図７】ばねピンの断面図。
【図８】プロジェクタの電気的構成図。
【図９】プロジェクタのプログラムのフローチャート。
【図１０】第２の実施形態のプロジェクタの斜視図。
【図１１】表示部の拡大平面図。
【図１２】プロジェクタの電気的構成図。
【符号の説明】
【０１２７】
１…プロジェクタ、２…投射部本体、２ａ…案内面、３…投射部、５…操作部、９…操作部としてのブレイクスイッチ、９ａ…発光部、１１…天井照明部を構成するランプカバー、１２…天井照明ランプ、１３…間接照明ランプ、１５…足、２０…画像再生部、５０…画像再生部本体、５０ａ…案内面、５２…読取部、５４…ケーブル、５５…天井照明部、６０…間接照明部を構成するランプカバー、６１…回転コネクタ部、６２…光源部、６５ａ…Ｒ液晶パネル、６５ｂ…Ｇ液晶パネル、６５ｃ…Ｂ液晶パネル、６６…クロスダイクロイックプリズム、６７…投写レンズ部、６８…間接照明部、７０…案内画像、７１…回転体、７２…フレキシブル基板、７３…ばねピン、７４…固定体、７５…固定電極、７６…接続線、７８…接続ピン、８２…絵、８２ａ…湯気、８３…文字、８４…文字、８５…絵、８６…報知画像、８７…文字、１００…制御部としてのＣＰＵ、１０１…データ記憶部としてのＲＯＭ、１０２…データ記憶部としてのＥＥＰＲＯＭ、１０３…ＲＡＭ、１０４…ソース選択部、１０６…ユーザＩ／Ｆ、１０７…音制御部、１１０…データバス、１１１…データ記憶部、１１２…画像データ、１１３…音データ、１１４…光変調光学系駆動制御部、１１５…音制御部、１１６…スピーカ、１１７…Ｉ／Ｏポート、１１８…外部機器、１２１…画像専用データバス、１２２…音専用データバス、１５０…読取部、１５１…スピンドルモータ部、１５２…スピンドルモータ駆動部、１５３…レーザピックアップ部、１５４…サーボ制御部、１５５…画像再生計時部、１５６…経過時間バッファ、１６０…信号処理部、１７０…デコーダ部、１７１…画像処理部、１７２…音処理部、１９０…光源部、１９１…光源駆動制御部、１９２…光学冷却部、１９３…光学冷却駆動制御部、１９４…計時部、３００…表示部、３０１…表示画面、３１０…表示操作部、３１３…決定スイッチ、３１５…画像データ表示スイッチ、３１６…音データ表示スイッチ、３１７…選択スイッチ、３１８…表示スイッチ、Ｄ…記録媒体、Ｈ…投写背景、Ｓ…スクリーン。
【図１】
2005094475.tif 000003
【図２】
2005094475.tif 000004
【図３】
2005094475.tif 000005
【図４】
2005094475.tif 000006
【図５】
2005094475.tif 000007
【図６】
2005094475.tif 000008
【図７】
2005094475.tif 000009
【図８】
2005094475.tif 000010
【図９】
2005094475.tif 000011
【図１０】
2005094475.tif 000012
【図１１】
2005094475.tif 000013
【図１２】
2005094475.tif 000014
【手続補正書】
【提出日】平成16年10月26日(2004.10.26)
【手続補正１】
【補正対象書類名】明細書
【補正対象項目名】００３６
【補正方法】変更
【補正の内容】
【００３６】
回転コネクタ部６１では、ケーブル５４に配設された複数の電極と、それぞれの前記電極に対応した複数の接続ピン７８が電気的に接合している。接続ピン７８は、回転体７１の周囲に配設されたフレキシブル基板７２の複数の電極と電気的に接合している。前記フレキシブル基板７２の複数の電極それぞれに対応して、ばねピン７３が電気的に接合している。ばねピン７３は、回転体７１に固着されている外筒部と前記外筒部の中を可動できる可動ピンと前記外筒部と前記可動ピンとを押圧するコイルばね又は板ばねから成る。前記可動ピンは、前記コイルばね又は板ばねを通じて前記外筒部と電気的に接続している。前記可動ピンは、固定体７４に配設された固定電極７５に、前記コイルばね又は板ばねのばね力により押圧されて電気的に接続している。尚、複数の固定電極７５は固定体７４の外周をそれぞれ単独に電極を成しているため、ばねピン７３は、対応する固定電極７５の円周上のいずれかで電気的に接続されている。
【手続補正２】
【補正対象書類名】明細書
【補正対象項目名】００４６
【補正方法】変更
【補正の内容】
【００４６】
ＣＰＵ１００には、操作部５に設けられた各スイッチ６〜１０（図２に示す）の操作に基づく信号をユーザＩ／Ｆ１０６を介して入力されるようになっている。つまり、ＣＰＵ１００は操作部５に設けられた各スイッチ６〜１０の操作に基づく信号により、制御プログラムや各種アプリケーションプログラムに基づいて各種処理を実行する。
【手続補正３】
【補正対象書類名】明細書
【補正対象項目名】００６３
【補正方法】変更
【補正の内容】
【００６３】
Ｓ２０３では、画像再生部２０で再生処理された記録媒体Ｄの画像信号は画像専用データバス１２１を介して投射部３に送られ、前記光変調光学系駆動制御部１１４、前記光変調装置及びクロスダイクロイックプリズム６６を経て前記投写レンズ部６７よりスクリーンＳ等にカラー画像を拡大投写する。また、画像再生部２０で再生処理された音信号は音専用データバス１２２を介して音制御部１１５へ送られ前記処理を施して前記スピーカ１１６から音として視聴者が聞くことができる。
Ｓ２０３で画像再生中に、Ｓ２０４で停止スイッチ８ｂが押下されたか否かを判断する。停止スイッチ８ｂが押下された場合はＳ２１２へ進む。また、停止スイッチ８ｂが押下されされない場合は、Ｓ２０３の状態を継続する。
Ｓ２０３で画像再生中に、Ｓ２０５でブレイクスイッチ９が押下されたか否かを判断する。ブレイクスイッチ９が押下された場合は、Ｓ２０６に進む。また、ブレイクスイッチ９が押下されない場合は、Ｓ２０３の状態を継続する。
【手続補正４】
【補正対象書類名】図面
【補正対象項目名】図１２
【補正方法】変更
【補正の内容】
【図１２】
2005094475.tif 000015